(57)【要約】【課題】購買した物品にプリントされたＩＤを用いて自分を他人に間接的に公開し、ＩＤと自分の移動通信端末の電話番号とのマッチングサービスを行うインターネットサービスプロバイダの会員として登録することにより他人のメッセージ伝送に対するサービスが受けられるといった物品にプリントされたＩＤを用いるメッセージ伝送方法に対して開示する。【解決手段】本発明は、オンラインまたはオフラインを通じてパスワードを有するＩＤがプリントされた物品を購買した前記物品所持者が移動通信端末またはＰＣ端末を用いてインターネットサービスプロバイダで運用するウェッブサイトに接続した後、購買した物品のＩＤ、パスワードおよび個人身元明細に関わるデータを前記ウェッブサーバーへ伝送し、会員加入を行う第１のステップと；前記物品所持者が購買した物品を着用して公共場所でＩＤを公開すると、ＩＤを認知した前記発信者が移動通信端末またはＰＣ端末を用いて前記インターネットサービスプロバイダのウェッブサイトに接続した後、当該コンテンツメニューを選択し音声、文字および動画像を選択的に用いてメッセージを作成し、物品にプリントされたＩＤおよび発信者の移動通信端末の電話番号または発信者のＩＤなどに関するデータを前記ウェッブサーバーへ伝送する第２のステップと；前記ウェッブサーバーは、伝送された物品のＩＤを検索し該当アドレスに格納された電話番号を読み出し、前記読み出したデータ、メッセージ、および発信者の電話番号データを前記ＷＡＰサーバーへ伝送する第３のステップ；および前記ＷＡＰサーバーは、伝送されたデータを前記物品所持者の移動通信端末へ伝送する第４のステップと；を含んでなることを特徴とする。本発明によると、日常生活で使用している物品が自己ＰＲや広告、情報伝達のメディアの役割を果たすことにより、企業としては日常生活物品による広告により売上増大を図ることができる。また、新概念のミーティングやチャット文化、更には、広告や情報サービスが提供できるという一種の新文化を作り出し得る。【選択図】図１
2004516583.tif 000002
【特許請求の範囲】
【請求項１】
ＩＤがプリントされた物品を所有している物品所持者および前記ＩＤを認知してメッセージ伝送を行う発信者が設けたインターネット接続が可能な移動通信端末またはＰＣ端末と；前記移動通信端末をウェッブブラウザを用いてインターネットに接続自在にする無線アプリケーションプロトコルと前記移動通信端末からの要求をインターネット網へ伝送し、インターネット網からの応答を移動通信端末に再送する機能を行うＷＡＰゲートウェイとを含むＷＡＰサーバーを具備し、前記移動通信端末、ＷＡＰゲートウェイおよびウェッブサーバーとの間の応答および要請を行う移動通信サービス業者；および前記ＷＡＰサーバーにリンクされ、前記移動通信端末を介してインターネット網への接続時にコンテンツメニューを提供し、前記物品にプリンタされたＩＤをもって会員加入を認証し、前記移動通信サービス業者から伝送されたＩＤとマッチングする移動通信端末の電話番号を検索し、該検索された移動通信端末の電話番号を移動通信サービス業者へ伝送できるようにウェッブサーバーを設けたインターネットサービスプロバイダと；からなる物品にプリントされたＩＤを用いるメッセージ伝送方法において、
前記インターネットサービスプロバイダは、オンラインまたはオフラインを通じてＩＤがプリントされた物品をパスワードと共に販売する第１のステップと；
前記ＩＤおよびパスワードを用いてインターネット上でＩＤをもってメッセージ伝送サービスを行うインターネットサービスプロバイダの会員として加入する第２のステップ；および
物品所持者の物品の着用により公開されたＩＤを認知した発信者がインターネットサービスプロバイダに接続してＩＤおよびメッセージを伝送すると、前記ＩＤとマッチングする電話番号を出力し、移動通信サービス業者に提供することでメッセージを伝送する第３のステップと；
を含んでなることを特徴とする物品にプリントされたＩＤを用いるメッセージ伝送方法。
ことを特徴とする。
【請求項２】
請求項１において、前記第２のステップは、
ａ．インターネットサービスプロバイダが運用するウェッブサイトに接続するステップと；
ｂ．購買した物品のＩＤおよびパスワードと、個人身元明細を入力するステップと；
ｃ．インターネットサービスプロバイダの承認およびログオン過程を行うステップと；
ｄ．メッセージを伝送される場合に広告も同時に受信するか否かを選択するステップと；
ｅ．前記広告を受信すると選択した場合に電子マネーを発行するステップ；および
ｆ．前記ｂとｄステップで入力されたデータをウェッブサーバーへ伝送しデータベース化するステップと；
を含んでなることを特徴とする物品にプリントされたＩＤを用いるメッセージ伝送方法。
【請求項３】
請求項２において、前記ｃステップ以後に、前記パスワードを新しいパスワードに変更する過程を行った後、前記ｃステップに再び進むことを特徴とする物品にプリントされたＩＤを用いるメッセージ伝送方法。
【請求項４】
請求項１において、前記第３のステップは、
ｇ．発信者がＩＤを認知し、移動通信端末を用いてインターネットに接続するステップと；
ｈ．インターネットへの接続が行われると、インターネットサービスプロバイダで提供するコンテンツメニューを選択するステップと；
ｉ．音声、文字および動画像を選択的に用いてメッセージを作成するステップと；
ｊ．物品にプリントされたＩＤと、発信者の移動通信端末の電話番号または発信者のＩＤを入力し、インターネットサービスプロバイダへ伝送するステップと；
ｋ．インターネットサービスプロバイダは、伝送されたＩＤと同じＩＤを検索し、このＩＤに連携された電話番号を出力するステップと；
ｌ．広告の受信を選択したか否かを判別し、広告受信を選択した場合に伝送されたメッセージに広告を加えるステップと；
ｍ．検索された電話番号と伝送されたメッセージまたは広告が加えられたメッセージを移動通信サービス業者へ伝送するステップ；および
ｎ．前記メッセージを物品所持者へ伝送するステップと；
を含んでなることを特徴とする物品にプリントされたＩＤを用いるメッセージ伝送方法。
【請求項５】
請求項４において、前記ｋステップは、物品所持者が会員登録過程で入力したＩＤに対し特定のコードを与えた状態で、
ＩＤに連携された特定のコードを実行させるステップと；
前記特定のコードに連携された特定の実行コードを行い、該当アドレスを検索するステップ；および
前記該当アドレスから電話番号を出力するステップと；
を含んでなることを特徴とする物品にプリントされたＩＤを用いるメッセージ伝送方法。
【請求項６】
請求項４において、前記ｎステップ以後に、広告を受信するか否かに応じて電子マネーを積み立てるステップをさらに行うことを特徴とする物品にプリントされたＩＤを用いるメッセージ伝送方法。
【請求項７】
請求項１において、前記第２のステップ以後に会員登録が完了すると、
ログイン過程を経てウェッブサーフィンを行うステップと；
前記ウェッブサーフィンでインターネットショッピングを行い、ＩＤがプリントされた物品を購買申請するステップと；
前記物品所持者である会員がログインする時に入力したＩＤと同じＩＤがプリントされた物品を注文するか否かを判別し、同じＩＤがプリントされた物品を注文すると判別される場合、注文生産方式による物品の製作注文が行われ、同じＩＤがプリントされた物品を注文しないと判別される場合 任意のＩＤがプリントされた既に製作済みの物品の注文が行われるステップと；
前記注文物品に対する支払いを行うステップ；および
前記インターネットサービスプロバイダは物品生産地へ注文処理データを伝送するステップと；
を含んでなることを特徴とする物品にプリントされたＩＤを用いるメッセージ伝送方法。
【請求項８】
請求項７において、前記支払いを行うステップは、
広告の受信により積み立てられた電子マネーで支払いを行い、前記電子マネーでは足りない場合は、その足りない分だけを口座振込みまたはクレジットカードを用いた支払い方法を選択的に用いることを特徴とする物品にプリントされたＩＤを用いるメッセージ伝送方法。
【発明の詳細な説明】
【０００１】
【発明の属する技術分野】
本発明は、物品にプリントされたＩＤを用いるメッセージ伝送方法に関し、特に、購買した物品にプリントされたＩＤを用いて自分を他人に間接的に公開し、ＩＤと自分の移動通信端末の電話番号とのマッチングサービスを行うインターネットサービスプロバイダの会員として登録することにより他人のメッセージ伝送に対するサービスが受けられるといった物品にプリントされたＩＤを用いるメッセージ伝送方法に関する。
【０００２】
【従来の技術】
現在、新しい文化の普及およびその文化が日々に急変しており、これを導く、および収容する階層が次第に若くなりつつある社会雰囲気下で、自分自身のＰＲは当然のことかもしれない。これを満たし得る要素が、たとえば、自分を表現することができる衣装、アクセサリ、雑貨などを用いた自分なりの個性の表現であるといえる。
【０００３】
また、日常生活用品に与えられた文字またはロゴは、当該企業のイメージを代表するものとして、非常に重要視されている。更に、これは企業の生産品の売上増大にもつながり得るため、当該企業を表現する伝達媒体はしばしば広告されており、人々に対し宣伝および広告などを通じて刻み込むために努力している。
【０００４】
前記のように、個人および企業の広告および宣伝は、必須不可欠な関係にあるが、企業の場合は、広告媒体を用いて対外的な宣伝などを公開的に進めることができるのに対し、個人の場合は、自分をＰＲするには費用がかかり過ぎるという現実的な問題点があり、また、企業とは異なって、個人の情報を公開的に露出することによる個人情報漏れの恐れおよびストーキングなどの問題点を抱えている。
【０００５】
そこで、本発明は、日常生活で使用している物品に自分自身を間接的に表現できる文字、数字、ドメイン名などを書き込んだ物品を製作しこれを所持している者の移動通信端末およびインターネットメールなどにメッセージが伝達されるようにすることで、広告および広報、文字チャット、情報提供、求人、求職サービスなどの文字で伝達可能なあらゆるサービスを行うことを目的とする。また、人々が日常生活で通常着用する衣類などにＩＤをプリントして新しい文化を創造することにより物品販売の売上増大を図ることを目的とする。
【０００６】
【発明が解決しようとする課題】
したがって、本発明の目的は、購買した物品にプリントされたＩＤを用いて自分を他人に間接的に公開し、ＩＤと自分の移動通信端末の電話番号とのマッチングサービスを行うインターネットサービスプロバイダの会員として登録することにより他人のメッセージ伝送に対するサービスを受けることができる、物品にプリントされたＩＤを用いるメッセージ伝送方法を提供することにある。
【０００７】
より具体的に、本発明の目的は、日常生活で通常使用している生活用品である衣類、アクセサリ、雑貨などに固有のコード（数字、文字、記号など）を与え、これを所持しているすべての人の移動通信端末へ誰でもメッセージ伝送サービスなどを提供するか、または利用できるようにすることで、日常生活用品を一つの識別符号またはメディアとして使用して所有者の生活と同一視できるように作ることにある。
【０００８】
また、かかるＩＤを用いるメッセージ伝送サービスを実施することにより、当該インターネットサービスプロバイダがＩＤがプリントされた物品を効率よく販売できるという副次的なことにも本発明の目的があるといえる。
【０００９】
【課題を解決するための手段】
前記目的を達成するための本発明は、ＩＤがプリントされた物品を所有している物品所持者および前記ＩＤを認知してメッセージ伝送を行う発信者が設けたインターネット接続が可能な移動通信端末またはＰＣ端末と；前記移動通信端末をウェッブブラウザを用いてインターネットに接続自在にする無線アプリケーションプロトコルと前記移動通信端末からの要求をインターネット網へ伝送しインターネット網からの応答を移動通信端末に再送する機能を行うＷＡＰゲートウェイとを含むＷＡＰサーバーを具備し、前記移動通信端末、ＷＡＰゲートウェイおよびウェッブサーバーとの間の応答および要請を行う移動通信サービス業者；および前記ＷＡＰサーバーにリンクされ、前記移動通信端末を介してインターネット網への接続時にコンテンツメニューを提供し、前記物品にプリントされたＩＤをもって会員加入を認証し、前記移動通信サービス業者から伝送されたＩＤとマッチングする移動通信端末の電話番号を検索し該検索された移動通信端末の電話番号を移動通信サービス業者へ伝送できるようにウェッブサーバーを設けたインターネットサービスプロバイダと；からなる物品にプリントされたＩＤを用いるメッセージ伝送方法に適用され、本発明に係る物品にプリントされたＩＤを用いるメッセージ伝送方法は、前記インターネットサービスプロバイダは、オンラインまたはオフラインを通じてＩＤがプリントされた物品をパスワードと共に販売する第１のステップと；前記ＩＤおよびパスワードを用いてインターネット上でＩＤをもってメッセージ伝送サービスを行うインターネットサービスプロバイダの会員として加入する第２のステップ；および物品所持者の物品の着用により公開されたＩＤを認知した発信者がインターネットサービスプロバイダに接続してＩＤおよびメッセージを伝送すると、前記ＩＤとマッチングする電話番号を出力し移動通信サービス業者に提供することでメッセージを伝送する第３のステップと；を含んでなることを特徴とする。
【００１０】
ここで、前記第２のステップは、ａ．インターネットサービスプロバイダが運用するウェッブサイトに接続するステップと；ｂ．購買した物品のＩＤおよびパスワードと、個人身元明細を入力するステップと；ｃ．インターネットサービスプロバイダの承認およびログオン過程を行うステップと；ｄ．メッセージを伝送される場合に広告も同時に受信するか否かを選択するステップと；ｅ．前記広告を受信すると選択した場合に電子マネーを発行するステップ；およびｆ．前記ｂとｄステップで入力されたデータをウェッブサーバーへ伝送しデータベース化するステップと；を含んでなる。なお、前記ｃステップ以後に、前記パスワードを新しいパスワードに変更する過程を行った後、前記ｃステップに再び進むことが好ましい。
【００１１】
また、前記第３のステップは、ｇ．発信者がＩＤを認知し移動通信端末を用いてインターネットに接続するステップと；ｈ．インターネットへの接続が行われると、インターネットサービスプロバイダで提供するコンテンツメニューを選択するステップと；ｉ．音声、文字および動画像を選択的に用いてメッセージを作成するステップと；ｊ．物品にプリントされたＩＤと、発信者の移動通信端末の電話番号または発信者のＩＤを入力しインターネットサービスプロバイダへ伝送するステップと；ｋ．インターネットサービスプロバイダは、伝送されたＩＤと同じＩＤを検索し、このＩＤに連携された電話番号を出力するステップと；ｌ．広告受信を選択したか否かを判別し、広告受信を選択した場合に伝送されたメッセージに広告を加えるステップと；ｍ．検索された電話番号と伝送されたメッセージまたは広告が加えられたメッセージを移動通信サービス業者へ伝送するステップ；およびｎ．前記メッセージを物品所持者へ伝送するステップと；を含んでなる。
【００１２】
ここで、前記ｋステップは、物品所持者が会員登録過程で入力したＩＤに対し特定のコードを与えた状態で、ＩＤに連携された特定のコードを実行させるステップと；前記特定のコードに連携された特定の実行コードを行い、該当アドレスを検索するステップ；および前記該当アドレスから電話番号を出力するステップと；を含んでなることが好ましい。
【００１３】
また、前記ｎステップ以後に、広告を受信するか否かに応じて電子マネーを積み立てるステップをさらに行うことがより好ましい。
【００１４】
一方、前記第２のステップ以後に会員登録が完了すると、ログイン過程を経てウェッブサーフィンを行うステップと；前記ウェッブサーフィンでインターネットショッピングを行い、ＩＤがプリントされた物品を購買申請するステップと；前記物品所持者である会員がログインする時に入力したＩＤと同じＩＤがプリントされた物品を注文するか否かを判別し、同じＩＤがプリントされた物品を注文すると判別される場合、注文生産方式による物品の製作注文が行われ、同じＩＤがプリントされた物品を注文しないと判別される場合、任意のＩＤがプリントされた既に製作済みの物品の注文が行われるステップと；前記注文物品に対する支払いを行うステップ；および前記インターネットサービスプロバイダは物品生産地へ注文処理データを伝送するステップと；を含んでなることが好ましい。
【００１５】
ここで、前記支払いを行うステップは、広告の受信により積み立てられた電子マネーで支払いを行い、前記電子マネーでは足りない場合は、その足りない分だけを口座振込みまたはクレジットカードを用いた支払い方法を選択的に用いることが好ましい。
【００１６】
【発明の実施の形態】
以下、添付された図面を参照して本発明の好適な実施例について説明する。
【００１７】
本発明の図面において、同一機能を行う構成要素は同じ参照符号を付する。
【００１８】
図１（ａ）は、本発明の一実施例に係る物品にプリントされたＩＤを用いるメッセージ伝送方法の概念図である。同図に示すように、本発明の物品にプリントされたＩＤを用いるメッセージ伝送方法は、インターネット接続が可能なＰＣ端末１００および移動通信端末（図示せず）を具備した物品所持者と、前記物品所持者が所有している物品にプリントされたＩＤを用いてメッセージが伝送できるように移動通信端末２００を具備する発信者と、前記物品所持者と発信者との間の通信が可能になるようにメッセージの中継役割を果たす基地局およびＷＡＰサーバー３００を設けた移動通信サービス業者と、前記物品にプリンタされたＩＤをもって会員加入を認証し、前記移動通信サービス業者から伝送されたＩＤとマッチングする移動通信端末の電話番号を検索し、該検索された移動通信端末の電話番号を移動通信サービス業者へ伝送できるようにウェッブサーバー４００を設けたインターネットサービスプロバイダ（Ｉｎｔｅｒｎｅｔ  Ｓｅｒｖｉｃｅ  Ｐｒｏｖｉｄｅｒ；以下、ＩＳＰと称す）と、からなっている。
【００１９】
図１（ｂ）は、本発明の一実施例に係るＰＣ端末、ウェッブサーバーおよび移動通信サービス業者の構成を概略的に示す図である。同図に示すように、前記ＰＣ端末１００は、ＩＳＰで運用するウェッブサイトに接続自在に構成されたクライアント用接続部１１０と、前記クライアント用接続部１１０に接続され入出力するデータを該当プログラムに連結するインターフェース部１２０と、前記インターフェース部１２０に接続されシステム全般の運用を担当し、前記入出力データを処理する運用システム１３０と、前記入出力データをインターネットと連動させるインターネットプロトコル部１４０と、前記運用システム１３０およびインターネットプロトコル部１４０と相互連携され、標準化したインターネットプロトコルを有し、前記入出力データをディスプレイするウェッブブラウザ１５０、および前記入出力するデータの入力および出力を支援するクライアント用入出力部１６０と、からなっている。
【００２０】
前記インターネットに接続されるクライアント用接続部１１０は、インターネットまたはネットワークに接続自在に構成されたモデムまたはネットワークアダプタからなるが、特に、ネットワークアダプタは、高速通信のために、例えば、１０Ｍｂｐｓイーサネット（登録商標）などを用いることが好ましい。一方、ネットワークは、光ファイバベースの１００ＭｂｐｓまたはＩＳＤＮラインといった高速ネットワークがより好ましい。
【００２１】
また、前記ＩＳＰは、ウェッブサーバー４００を設けてあるが、前記ウェッブサーバー４００は、前記インターネットを介して前記クライアント用接続部１１０との接続が行われるように構成されたサーバー用接続部４１０と、前記入出力するデータを該当プログラムに連結するインターフェース部４２０と、前記インターフェース部４２０に接続されシステム全般の運用を担当し、前記入出力データを処理する運用システム４３０と、前記運用システム４３０の制御により前記入出力データをインターネットと連動させるインターネットプロトコル部４４０と、前記運用システム４３０およびインターネットプロトコル部４４０と連携され、入出力するＩＤの検索および管理を行うファイル管理部４５０、および通常のキーボード、マウス、モニタからなるサーバー用入出力部４６０と、からなっている。
【００２２】
そして、前記移動通信サービス業者は、前記ウェッブサーバーの構成と類似しているＷＡＰサーバー３００を設けてあり、しかも無線送受信のための無線送受信手段３１０を更に具備している。移動通信サービス業者が設けてある前記ＷＡＰ（Ｗｉｒｅｌｅｓｓ  Ａｐｐｌｉｃａｔｉｏｎ  Ｐｒｏｔｏｃｏｌ）サーバーは、具体的に移動通信端末でインターネットサービスができるように特別に設けたものである。このＷＡＰは、移動通信端末をウェッブブラウザを用いてインターネットに接続自在にする無線アプリケーションプロトコル手法を意味し、このＷＡＰによるインターネット接続方式は、既存のインターネット接続方式における移動通信端末とインターネット網との中間に配されて移動通信端末からの要求をインターネット網に伝達し、またインターネット網からの応答を移動通信端末に再送する機能を行うＷＡＰゲートウェイが追加された方式を用いる。即ち、既存のインターネット接続方式は、ＰＣ端末とウェッブサーバー間のＵＲＬ応答要請の伝達方式を用いているのに対し、前記ＷＡＰによる無線インターネット接続方式は、移動通信端末、ＷＡＰゲートウェイおよびウェッブサーバー間の応答要請の伝達方式を用いる。
【００２３】
一方、前記移動通信端末２００は、基本的にインターネット接続が可能な機種でなければならない。このために、移動通信端末２００は、基本的に基地局から送出される文字、音声、画像などのデータと位置データに関する高周波信号をアンテナを介して受信し、必要な帯域だけをフィルタリングすると共に送出される高周波信号から必要な帯域だけをフィルタリングして、前記アンテナを介して基地局へ送出する送受信フィルタリング部２１１と、前記送受信フィルタリング部２１１でフィルタリングした弱い高周波信号を任意のレベルに増幅して局部発振周波数と混合し、該混合周波数から中間周波数信号を検出して元の信号に復調する受信部２１２と、この受信部２１２で復調された信号を信号処理する信号処理部２１３と、信号処理部２１３からの送受信周波数に相応する周波数を発生する周波数合成部２１４と、信号処理部２１３からのデータを周波数合成部４１４から出力される高周波信号に変調し、該変調された高周波信号を電力増幅し送出する送信部２１５と、入力されたデータを表示するために出力装置に接続されるインターフェース部２１６と、からなっている。なお、ＩＳＰのＩＰアドレスを記憶する移動通信端末のＩＰアドレス記憶部（図示せず）などが更に含まれている。前記のように構成された移動通信端末２００は、音声、文字、動画像データおよび位置データを最後に送受信するアンテナを介して特定の信号が検知されると、該特定の信号或いは周波数がユーザの移動通信端末に適する信号であるか否かを分析する。しかし、ＩＳＰのＩＰアドレスが移動通信端末のＩＰアドレス記憶部（図示せず）に予め記憶されているため、送受信する特定の信号や周波数を移動通信端末は認識できるようになる。このようにして送受信されたデータは同一のＩＰアドレスを使用する移動通信端末の中でも特定のユーザを認識しなければならないため、移動通信端末の電子メールアドレス格納部へ伝送され、このように伝送されたデータは、送受信されたデータが正確に所望するユーザ宛てへ伝送されたか否か照合される。送受信された信号が含んでいる宛先の電子メールアドレスと正確に一致したと判定されると、認識された信号データを自動で圧縮または解凍する。このように圧縮または解凍された情報データは、再び伝送データの形態で変調または復調され、受信した情報データの形態、例えば、音声データなのか画像データなのか或いは文字データなのかによって出力装置、即ち、音声データであればスピーカとマイクを通じて、画像データであればディスプレイモニタとカメラを通じて、文字データであれば単なる液晶ディスプレイモニタを通じて該情報をユーザが容易に認識できるように表示される。
【００２４】
図２は、本発明の一実施例に係る物品にプリントされたＩＤを用いるメッセージ伝送方法の概念的なフローチャートである。同図に示すように、先ずＩＳＰはインターネットを介したオンラインまたはオフラインを通じて広告を行い、インターネットを介したオンラインまたはオフラインを通じて衣類、帽子、アクセサリ、雑貨などに数字や文字、その他の特定のＩＤを刻み込んだりプリントしたりして一般の消費者に販売する。この際、各物品にはその種類にかかわらず一つの固有ＩＤが与えられ、別に設けられたパスワードと共に消費者に販売される。このパスワード部分はインスタント宝くじのように当該パスワード部分が銀色で塗りつぶされ、製品購入の際、その当事者のみがその銀色の部分を剥がし取ることで確認できるようにする（Ｓ１００）。
【００２５】
次いで、前記物品を購入したクライアントは、前記物品にプリントされたＩＤおよびパスワードを用いてインターネット上でＩＤをもってメッセージ伝送サービスを行うＩＳＰの会員として加入する。この際、最初の会員加入時、物品にプリントされたＩＤとパスワードが物品の購入時に提供されたＩＤとパスワードと一致する場合にのみ登録が行われるようにする。これは、個人情報の保護のために必要であり、登録後、前記パスワードは個人が自由自在に変更できる。しかし、前記ＩＤは一つの物品に与えられた固有のものであるため、変更できないようにする（Ｓ２００）。
【００２６】
次いで、物品所持者が物品を平素は自分の身体に着用することで他人に公開させ、前記公開された物品にプリントされたＩＤを他人が認知し、移動通信端末を用いて物品所持者にメッセージを伝送するようにする。ここで、ＩＳＰは、他人から伝送されたＩＤを検索し、該ＩＤとマッチングする電話番号を出力して移動通信サービス業者に提供することにより始めてメッセージが物品所持者へ伝送される（Ｓ３００）。
【００２７】
図３は、本発明の一実施例に係る会員登録過程を示すフローチャートである。
【００２８】
まず、移動通信端末を用いて会員登録過程を行うこともできるが、通常の方法による説明の便宜性のために、本実施例では、ＰＣ端末を用いてインターネット上で会員登録過程を行う。
【００２９】
同図に示すように、ＩＤがプリントされた物品を購入した物品所持者は、ＰＣ端末を用いて、物品にプリントされたＩＤを用いてメッセージ伝送を行うＩＳＰが運用するウェッブサイトに接続する（Ｓ２０２）。次いで、ＩＳＰが、ウェッブサイト訪問者がログイン過程を行ったか否かを判別する（Ｓ２０４）。この判別の結果、ログイン過程を行っていないと判別すると、ＩＳＰは、物品にプリントされたＩＤと別に提供されたパスワードを物品所持者に入力させる（Ｓ２０６）。次に、ＩＳＰは、個人の身元明細が入力できるウェッブページをディスプレイし必須事項を物品所持者に対し入力させる（Ｓ２０８）。前記必須入力事項は、通常的に個人の身元が確認できる住民登録番号、生年月日、住所、クレジットカード番号などであり、本発明で必ず必要な入力事項は移動通信端末の電話番号である。この移動通信端末の電話番号は、以後の過程で行うＩＤを電話番号に変換する過程で必ず必要な要素となる。
【００３０】
入力要素の入力がすべて済むと、伝送過程を行い、これに対し、ＩＳＰでは、承認およびログオン過程を行う（Ｓ２１０）。当然のごとく、この際に入力されるＩＤおよびパスワードのみならず、個人身元明細が一致していない場合は、ＩＤおよびパスワードの再入力過程を行わなければならない。特に、前記個人身元明細の場合は、課金サーバーを別途に設けて認証を行うことができる。
【００３１】
以後、選択的に行う過程として、前記ログオン過程で入力したパスワードの変更を希望するか否かを判別する（２１２）。この判別の結果、現在のパスワードの保持を希望すると判別されると、次の過程に進み、パスワードの変更を希望すると判別されると、前記ステップＳ４１２に進んで新しいパスワードを入力し、再びログオンするステップＳ２１０に進む。この過程で、データベースにおける新しいパスワードへの更新が行われる。
【００３２】
一方、ＩＳＰは、ウェッブサイト訪問者に対しメッセージを伝送される時に広告も同時に受信するか否かを選択させる（Ｓ２１６）。この選択の結果、広告を受信すると選択すると、電子マネーを発行する（Ｓ２１８）。この時、会員加入による基本的な電子マネーを支払い、以後、広告の受信に伴い電子マネーを積み立てる。無論、広告を受信しないと選択すると、電子マネーの発行は行われない。
【００３３】
前記過程により個人身元明細および選択的に入力するデータをすべて入力した後、会員加入ボタンを押すことにより前記過程で入力したデータがウェッブサーバーへ伝送される（Ｓ２２０）。以後、前記個人データはウェッブサーバーのデータベースに格納される（Ｓ２２２）。
【００３４】
一方、前記ステップＳ２０４でログイン過程を行っていると判別されると、当該ＩＳＰが提供する情報を検索、インターネットショッピングなどによる物品の注文、メッセージ伝送などの作業を行うことができる（Ｓ２２４）。
【００３５】
本実施例では、説明の便宜のためにＰＣ端末を通じて会員登録過程を行っているが、移動通信端末も同様にインターネット機能を行うことができるため、会員登録過程が移動通信端末を通じて可能であることはいうまでもない。
【００３６】
図４は、本発明の一実施例に係るメッセージ伝送サービス過程を示すフローチャートである。
【００３７】
図４を説明する前に、前記ＩＳＰが、事業計画書とＷＭＬを用いたＷＡＰサービスが行えるファイルを製作し移動通信サービス業者から承認を受けた後、移動通信サービス業者で運用しているＷＡＰサーバーにリンクしているか、または、移動通信サービス業者で運用しているＷＡＰサーバーへ必要なデータを提供している状態にあると仮定する。これにより、移動通信端末を通じてインターネットへの接続が行われると、ユーザが選択できるコンテンツのメニューに当該ＩＳＰへのリンクができるメニューが追加された状態であると仮定する。
【００３８】
以下で説明する発信者は物品にプリントされたＩＤを認知する人を意味し、受信者はＩＤがプリントされた物品を所有している前記物品所持者を意味する。
【００３９】
図４に示すように、前記発信者がＩＤを認知した後（Ｓ３０２）、発信者所有の移動通信端末を用いてインターネットに接続する（Ｓ３０４）。インターネットへの接続が行われると、移動通信端末の窓に表示されるメニューから当該ＩＳＰにリンクされるメニューを選択する（Ｓ３０６）。無論、このメニューに対し宣伝などの方法により既に発信者がサービス内容を知っている状態である必要がある。
【００４０】
メニューを選択すると、次に、メッセージが作成できるメッセージ入力窓がディスプレイされ、このメッセージ入力窓でキー入力を行って文字、画像、動画像などを製作する（Ｓ３０８）。無論、画像または動画像は、移動通信端末でディスプレイ可能なフラッシュ形態の画像または動画像を意味する。更には、動画像の送受信、例えば、ＩＭＴ２０００事業に備えて予め製作された動画像であってもよい。以後、メッセージの作成が完了すると、発信者が認知した、即ち、本発明の特徴部である物品にプリントされたＩＤを入力する。加えて、送信に対する応答のために発信者の移動通信端末の電話番号も一緒に入力する（Ｓ３１０）。ここで、発信者が当該ＩＳＰの会員である場合、自分の移動通信端末の電話番号の代わりにＩＤを入力することもできる。これは、後述する電子マネーの積み立てなどの恵沢を受けるためである。
【００４１】
次いで、伝送ボタンを押すことによりメッセージを含む受信者のＩＤ、発信者の電話番号などがＩＳＰへ伝送される（Ｓ３１２）。
【００４２】
ＩＳＰでは、伝送されたＩＤから前記ＩＤと同一のＩＤを検索する第１の検索を行う。もし、同一のＩＤが検索されない場合は、メッセージ伝送の失敗を知らせる警告メッセージを発信者の移動通信端末へディスプレイし、ＩＤの再入力を求める。無論、前記第１の検索過程で同一のＩＤが検索できた場合は、引き続き、ＩＤと連携された特定のコードを実行させる。即ち、受信者である物品所持者がＩＤをＩＳＰの会員として登録する過程でＩＤを入力しデータベース化する時に前記ＩＤと連携された特定のコードを与えられるが、この特定のコードと連携された特定の実行コードを行うことで該当アドレスを検索し、該当アドレスと連携された電話番号を出力する（Ｓ３１４）。
【００４３】
これと同時に、データベース領域から受信者が広告を受信するとのオプションを選択したか否かを判別する（Ｓ３１６）。この判別の結果、広告受信に関わるオプションを選択している場合は、前記メッセージデータに広告データを加える（Ｓ３１８）。一方、前記判別の結果、広告受信に関わるオプションを選択していない場合は、前記メッセージデータに広告データを加える過程をスキップする。
【００４４】
以後、ＩＳＰは、検索された電話番号と選択的に加えられた広告データを移動通信サービス業者へ送信し（Ｓ３２０）、これに対し、移動通信サービス業者は、前記電話番号に相当する受信者を呼び出し、該受信者に対しメッセージを伝送する（Ｓ３２２）。
【００４５】
なお、受信者は、付加的に発信者に対しリターンメッセージを送ることができ（Ｓ３２４〜Ｓ３２６）、この時は、ＩＳＰを選択的に経由してメッセージの送受信を行うことができる。即ち、移動通信サービス業者と基地局を用いて相互送受信を行うことが好ましい。無論、前記リターンメッセージに対する再リターンメッセージを物品所持者へ伝送する場合は、広告受信による電子マネーの積み立てのためＩＳＰを経由してメッセージ伝送を行うことがより好ましい。この際、前記ステップＳ３１０で発信者がＩＤを入力する場合は、電子マネーの積み立てのためにＩＳＰを経由してメッセージ伝送を行うことがより好ましい。
【００４６】
図５は、本発明の一実施例に係る物品購買過程を示すフローチャートである。
【００４７】
まず、本実施例では、移動通信端末を用いてインターネットショッピングを行うことができるが、最も通常的な方法を用いたインターネットショッピングを行うためにＰＣ端末を用いてインターネットショッピングを行う。また、既に前記過程（図３）を経由して会員として登録を行った状態であると仮定する。前記会員は、当該ＩＳＰで販売した物品のＩＤをもって会員として加入した物品所持者を意味し、以下、会員と称す。また、本過程は、図３のステップＳ２２４のウェッブサーフィン過程の一部を意味し、これに連続して行う過程である。
【００４８】
図５を参照すると、ウェッブサイトに接続してログイン過程を行った後、ショッピングモールをリンクしインターネットショッピングを行い、自分が購買しようとする物品を購買申請する（Ｓ４００）。
【００４９】
この時、ＩＳＰは、会員がログインする時に入力したＩＤと一致するＩＤがプリントされた物品を注文するか否かに対する会員の要請があったか否かを判別する（Ｓ４１０）。この判別の結果、ログイン時に入力したＩＤと一致する物品を注文するという会員の要請があると、注文生産方式による物品製作の注文が行われる（Ｓ４２０）。これは、ＩＳＰが販売している衣類、アクセサリ、雑貨などのそれぞれの領域で自分だけが所有している個人ＩＤを持ちたがる会員の要求を満たし得るのみならず、多数の物品に対し多数の異なるＩＤを持つことによる煩わしさを避けるためである。即ち、最初に購入した物品にプリントされたＩＤを異なる物品に対しても同一にプリント可能にすることを図っている。このためには、最初に購入した物品にプリントされたＩＤを自分の固有ＩＤとして固定するという前提条件が必要となる。この場合は、前記のように注文生産方式を用いて物品を製作する際、特定のＩＤがプリントされる作業が求められる。
【００５０】
一方、ログイン時に入力したＩＤと一致しない物品を注文するという会員の要請があると、任意のＩＤがプリントされ既に製作済みの物品の注文が行われる（Ｓ４３０）。これは、会員の好みに応じて多数の物品に多数の互いに異なるＩＤを要求する場合に該当し、この場合、基本的にすべての物品に対し無作為でＩＤを与えた物品が注文される。
【００５１】
以後、物品の購入が済むと、支払い窓がディスプレイされ、会員は支払いを行う（Ｓ４４０）。この後、ＩＳＰは、注文処理を行い、生産地へ注文処理データを伝送する（Ｓ４５０）。これに対し、生産地では、注文処理データに基づき、注文生産または無作為で物品を生産する。以後、生産された物品は、運送業者により配送が行われ（Ｓ４６０）、最後のステップで、会員は注文した物品を受領するようになる（Ｓ４７０）。
【００５２】
図６は、本発明の一実施例に係る支払い過程を示す図である。
【００５３】
まず、会員は、メッセージ伝送時に広告を受信するというオプションを選択し電子マネーが積み立てられている状態で、次の状況を進めると仮定する。
【００５４】
図６に示すように、会員は電子マネーで支払いを行う（Ｓ４４０−１）。この際、電子マネーの積立金が物品代金より多いか否かを判別する（Ｓ４４０−２）。即ち、電子マネーで支払いが可能であるか否かを判別する。前記判別の結果、支払いが可能であると判別されると、物品代金を電子マネーで支払いを行い、これにより、物品代金分の電子マネーを差し引く（Ｓ４４０−３）。一方、前記判別の結果、支払いが不可能であると判別される場合、物品代金を電子マネーで支払い可能な金額を除く金額を口座振込みにより支払うという選択を行ったか否かを判別する（Ｓ４４０−４）。前記判別の結果、口座振込みにより支払うという選択を行ったと判別されると、電子支払い窓をディスプレイし、ログイン過程を行って特定銀行の選択および金額を入力する（Ｓ４４０−５（Ｓ４４０−６）
この際、サーバーは、前記特定銀行から残高状態を把握した後（Ｓ４４０−７）、電子支払いが可能であるか否かを判別する（Ｓ４４０−８）。この判別の結果、電子支払いが可能であると、前記特定銀行から会員の口座番号と金額に関するデータを伝送する（Ｓ４４０−９）。これにより、支払いが終了する（Ｓ４４０−１０）。
【００５５】
一方、前記ステップＳ４４０−１０で口座振込みを選択していないと判別される場合、クレジットカードにより支払いを選択したか否かを判別する（Ｓ４４０−１１）。この判別の結果、クレジットカードを用いた支払い方法を用いると選択した判別されると、まず、クレジットカード社から承認番号を受ける（Ｓ４４０−１２）。以後、信用度と限度額を照合した後（Ｓ４４０−１３）、前記ステップＳ４４０−８に進む。一方、前記ステップＳ４４０−８で支払いが不可能であると判別されると、支払いをすぐ終了する。
【００５６】
本発明の図面には示していないが、例えば、物品を紛失した場合、これを拾った人が物品にプリントされたＩＤを用いて物品所持者を検索しメッセージを伝送することにより、物品紛失の際に移動通信端末のみならず、ＰＣ端末を通じて物品所持者の検索過程を行うこともできる。この時、移動通信端末を用いた検索過程の場合は、前記過程と同じ過程を繰り返し、ＰＣ端末によるインターネット網を用いる場合は、ＩＳＰで各々の会員に対しホームページを与えることにより、前記物品拾得者がＩＤに相応するホームページを訪問して物品拾得に関するメッセージを伝送することで物品を返してあげることができる。これは、検索すべきＩＤの入力によるＩＳＰの検索過程を通じて物品所持者のホームページにリンクできるはずである。
【００５７】
本発明によると、日常生活用品に対して与えられた一つの数字コードや文字が移動通信機器と連携されていて、現在、一般的に日常生活で使用している物品が自己ＰＲや広告、情報伝達のメディアの役割を果たすことにより、企業としては日常生活物品による広告により売上増大を図ることができ、個人は、自分だけがもっているＩＤやコードまたは文字がプリントされた物品（服、バック、帽子、アクセサリ、雑貨など）、即ち、他人と区別のつく自分だけの何かを所有しているという優越感やある文化現象としてのプライドをもち得るということが本発明の特徴であるといえよう。今までの一般の生活用品は、それ自体の機能外の他の機能としては利用されていなかったが、このような一般の用品を携帯電話に接続し連携するという概念を導入して一般の物品自体の実用性と機能に広告やＰＲ、情報のメディアの役割を果たすという付加的な機能を追加したといえる。
【００５８】
【発明の効果】
上述したように、本発明に係る物品にプリントされたＩＤを用いるメッセージ伝送方法は、携帯用移動通信端末を用いて文字サービスおよび文字チャットが可能であり、出会いミーティング、速やかな文字情報サービスなどを行うことができ、日常の物品（衣類、バック、アクセサリ、帽子、雑貨など）を通じて新概念のミーティングおよびチャット文化を作り上げる。即ち、一つの服または帽子などに印刷された番号（数字）または文字を見て、他人が携帯電話または携帯用移動通信端末を用いて送りたいメッセージや情報などを送信すると、当該物品を所有している者の移動通信端末で文字メッセージとして受信される。また、ウェッブ上でもこれと同様な方式で文字メッセージサービスおよび電子メールサービスを行うことができる。これは、直接的な携帯用移動通信端末の番号を共有せずに物品にプリントされたＩＤをもって間接的に、即ち、受信したメッセージに対し物品所持者が選択して応答できるため、個人的な私生活を保護することができる。
【００５９】
このように、新概念のミーティングやチャット文化、更には、広告や情報サービスが提供できる一種の新文化が作り上げられる。自分だけの物品、自分だけのＩＤ、自分だけの何かを通じていつもフレッシュで多様化したがる階層を吸収して新概念の文化を作り出し、また、この新概念の文化を通じて日常生活用品がどのように物品自体の機能と新しい付加的な機能とが調和して新しい文化創出へとつながり得る。ゆえに、どのような物品や環境でも容易に本発明を用いて広告や情報伝達が可能になるように変形することができ、これによる無数に多い新しい文化や新機能が創造され、増大できるという効果を奏することが本発明の特徴であり、長所ともいえよう。
【００６０】
前記で言及した本発明は、一実施例を中心にして説明したが、本発明の技術内容と思想および領域を逸脱しない範囲内で本発明を多様に修正および変更できることが明らかである。したがって、本発明の説明は、技術の特性と思想を限定するもとではなく、例示に過ぎないことが理解できるはずである。
【図面の簡単な説明】
【図１】
（ａ）は、本発明の一実施例に係る物品にプリントされたＩＤを用いるメッセージ伝送方法の概念図であり、（ｂ）本発明の一実施例に係るＰＣ端末、ウェッブサーバーおよび移動通信サービス業者の構成を概略的に示す図である。
【図２】
本発明の一実施例に係る物品にプリントされたＩＤを用いるメッセージ伝送方法の概念的なフローチャートである。
【図３】
本発明の一実施例に係る会員登録過程を示すフローチャートである。
【図４】
本発明の一実施例に係るメッセージ伝送サービス過程を示すフローチャートである。
【図５】
本発明の一実施例に係る物品購買過程を示すフローチャートである。
【図６】
本発明の一実施例に係る支払い過程を示す図である。
【図１】
2004516583.tif 000003
【図２】
2004516583.tif 000004
【図３】
2004516583.tif 000005
【図４】
2004516583.tif 000006
【図５】
2004516583.tif 000007
【図６】
2004516583.tif 000008
【国際公開パンフレット】
2004516583.tif 000009
2004516583.tif 000010
2004516583.tif 000011
2004516583.tif 000012
2004516583.tif 000013
2004516583.tif 000014
2004516583.tif 000015
2004516583.tif 000016
2004516583.tif 000017
2004516583.tif 000018
2004516583.tif 000019
2004516583.tif 000020
2004516583.tif 000021
2004516583.tif 000022
2004516583.tif 000023
2004516583.tif 000024
2004516583.tif 000025
2004516583.tif 000026
2004516583.tif 000027
2004516583.tif 000028
2004516583.tif 000029
2004516583.tif 000030
2004516583.tif 000031
2004516583.tif 000032
2004516583.tif 000033
2004516583.tif 000034
2004516583.tif 000035
2004516583.tif 000036
2004516583.tif 000037
2004516583.tif 000038
2004516583.tif 000039
2004516583.tif 000040
2004516583.tif 000041
2004516583.tif 000042
【国際調査報告】
2004516583.tif 000043